(57)【要約】【課題】簡単かつ適正に取付けが可能で、優れた装飾的効果を得られる髪飾りおよびその取付方法を提供する。【解決手段】髪の毛Ｈに添設され、頭部適所に垂下される。髪の毛Ｈが挿通する内孔を有しその外周部に頭飾具、例えば多数の細繊維１２を付設した管体１１と、管体１１を髪の毛に締着させるように内孔に装着する介挿材１３とを含む。髪の毛を介挿材１３と伴に内孔に挿通することにより管体１１がその髪の毛に締着する。髪の毛を引っ掛けるように形成した引掛け部１４ａを有し内孔に挿通するガイド材１４をさらに含み、髪の毛Ｈをガイド材１４によって内孔に挿通ガイドする。管体１１の内孔に介挿材１３を弾発的に挿入することで、取り付けることができる。【選択図】　　　　図２
2004065921.tif 000002
【特許請求の範囲】
【請求項１】
髪の毛に添設され、頭部の任意の位置に垂下されるようにした髪飾りであって、
髪の毛が挿通する内孔を有する管体と、この管体の外周部に付設された頭飾具と、を備え、髪の毛を上記内孔に挿通することにより上記管体をその髪の毛に締着することを特徴とする髪飾り。
【請求項２】
髪の毛に添設され、頭部の任意の位置に垂下されるようにした髪飾りであって、
髪の毛が挿通する内孔を有しその外周部に頭飾具が付設された管体と、上記管体を髪の毛に締着させるように上記内孔に装着される介挿材とを含み、髪の毛を上記介挿材と伴に上記内孔に挿通することにより上記管体をその髪の毛に締着することを特徴とする髪飾り。
【請求項３】
髪の毛を引っ掛ける引掛け部を備え前記管体の内孔に挿通するガイド材をさらに含み、この引掛け部に髪の毛を引っ掛けて上記内孔に挿通した上記ガイド材をこの内孔から抜き去ることで、髪の毛が前記内孔に挿通ガイドされることを特徴とする、請求項１又は２に記載の髪飾り。
【請求項４】
前記介挿材が、ゴム紐材などの弾性体により形成されていると共に、前記ガイド材の引掛け部を挿通させる巻回部を有し、この巻回部が前記管体の内孔に挿通されてその上端部付近に配置され、該巻回部に挿通させた上記ガイド材の引掛け部に髪の毛を引っ掛けるようにしたことを特徴とする、請求項２又は３に記載の髪飾り。
【請求項５】
前記介挿材が、貴金属製，ガラス製，プラスチック製，木製等の剛体により形成されているとともに、前記管体の内孔に挿入可能なスティック部を備えることを特徴とする、請求項２又は３に記載の髪飾り。
【請求項６】
前記介挿材が、紐帯等の連結材により前記管体に結びつけられていることを特徴とする、請求項５に記載の髪飾り。
【請求項７】
前記介挿材が、長尺で紐状に形成されたエクステンションと、このエクステンションを二つ折りにした折り目位置に装着されたチューブと、を備え、
このチューブが、前記管体の内孔に弾発的に挿入されることを特徴とする、請求項２に記載の髪飾り。
【請求項８】
前記チューブが熱収縮チューブであることを特徴とする、請求項７に記載の髪飾り。
【請求項９】
前記介挿材が、前記エクステンションを二つ折りにした状態で、エクステンション相互を連結する繋ぎ目を備えることを特徴とする、請求項８に記載の髪飾り。
【請求項１０】
前記管体は弾性変形可能に構成され、前記介挿材が前記内孔に弾発的に挿入されることを特徴とする、請求項２〜９のいずれかに記載の髪飾り。
【請求項１１】
前記介挿材および前記ガイド材を前記内孔に挿通するために使用する補助具をさらに含むことを特徴とする、請求項２〜６のいずれかに記載の髪飾り。
【請求項１２】
髪の毛に添設され、頭部に垂下されるようにした髪飾りの取付方法であって、
髪の毛に締着すべき管体の内孔に、ガイド材とゴム紐材などの弾性体により形成された介挿材とを挿通し、前記介挿材の一端に巻回部を形成して該巻回部に前記ガイド材を挿通し、該ガイド材の引掛け部に髪の毛を引っ掛けて前記管体から抜き去ることにより取り付けることを特徴とする髪飾りの取付方法。
【請求項１３】
前記介挿材の巻回部を前記内孔に挿入させることにより前記管体の前記髪の毛に対する締着力を調節することを特徴とする、請求項１２に記載の髪飾りの取付方法。
【発明の詳細な説明】
【０００１】
【発明の属する技術分野】
本発明は、髪の毛に添設され、頭部の適所に垂下されるようにした髪飾りおよびその取付方法に関するものである。
【０００２】
【従来の技術】
たとえば髪の毛に装飾処理を行う場合、自毛の根元につけ毛を部分的に取り付けて髪の長さを延長する。このようにつけ毛を付ける場合の他に、髪の毛に似た繊維材等を付加して装飾的効果を得ようとすることもある。
【０００３】
【発明が解決しようとする課題】
ところで、つけ毛あるいは装飾的繊維材等を自毛に取り付ける作業は、極めて細かい作業であるため手間がかかり、またそれらを適正に、且つ、取り付けたつけ毛が脱落したりずれたりしないよう確実に取り付けるのはなかなか容易ではなかった。
【０００４】
本発明は以上の点に鑑み、簡単にかつ適正に取り付け可能で、優れた装飾的効果を得られる髪飾りおよびその取付方法を提供することを目的とする。
【０００５】
【課題を解決するための手段】
上記目的を達成するために、本発明は、髪の毛に添設され頭部の任意の位置に垂下されるようにした髪飾りであって、髪の毛が挿通する内孔を有する管体と、この管体の外周部に付設された頭飾具と、を備え、髪の毛を上記内孔に挿通することにより上記管体をその髪の毛に締着することを特徴とするものである。
【０００６】
また、上記目的を達成するために、本発明は、髪の毛に添設され、頭部の任意の位置に垂下されるようにした髪飾りであって、髪の毛が挿通する内孔を有しその外周部に頭飾具が付設された管体と、この管体を髪の毛に締着させるように上記内孔に装着される介挿材とを含み、髪の毛をこの介挿材と伴に内孔に挿通することにより管体をその髪の毛に締着することを特徴とするものである。
【０００７】
本発明は、好ましくは、さらに、髪の毛を引っ掛ける引掛け部を備え管体の内孔に挿通するガイド材を含み、この引掛け部に髪の毛を引っ掛けて内孔に挿通したガイド材をこの内孔から抜き去ることで、髪の毛を内孔に挿通ガイドする。
【０００８】
前記介挿材は、好ましくは、ゴム紐材などの弾性体により形成されていると共に、ガイド材の引掛け部を挿通させる巻回部を有し、この巻回部が管体の内孔に挿通されてその上端部付近に配置され、この巻回部に挿通させたガイド材の引掛け部に髪の毛を引っ掛けるように構成される。
【０００９】
また、前記介挿材は、好ましくは、貴金属製，ガラス製，プラスチック製，木製等の剛体により形成されているとともに、前記管体の内孔に挿入可能なスティック部を備える。なお、この介挿材は紐帯等の連結材により前記管体に結びつけられているのが望ましい。
【００１０】
また、前記介挿材は、好ましくは、長尺で紐状に形成されたエクステンションと、このエクステンションを二つ折りにした折り目位置に装着されたチューブと、を備え、このチューブが、前記管体の内孔に弾発的に挿入される。このチューブは熱収縮チューブであることが望ましく、更には前記エクステンションを二つ折りにした状態で、エクステンション相互を連結する繋ぎ目を備えるのがよい。
【００１１】
好ましくは、前記管体は弾性変形可能に構成され、介挿材が内孔に弾発的に挿入されるように構成する。
【００１２】
好ましくは、前記介挿材および前記ガイド材を前記内孔に挿通するために使用する補助具をさらに含む。
【００１３】
また、本発明の他の構成によれば、髪の毛に添設され、頭部に垂下されるようにした髪飾りの取付方法であって、髪の毛に締着すべき管体の内孔に、ガイド材とゴム紐材などの弾性体により形成された介挿材とを挿通し、この介挿材の一端に巻回部を形成して巻回部にガイド材を挿通し、このガイド材の引掛け部に髪の毛を引っ掛けて管体から抜き去ることにより取り付けることを特徴としている。
【００１４】
本発明の髪飾りの取付方法において、前記巻回部を内孔に挿入させることにより管体の前記髪の毛に対する締着力を調節するよう構成することが好ましい。
【００１５】
本発明によれば、髪の毛が挿通する内孔を有しその外周部に例えば多数の細繊維で成る頭飾具が付設された管体と、管体を髪の毛に締着させるように内孔に装着される介挿材とを含んでいる。このように、髪の毛を介挿材と伴に内孔に挿通することにより、管体がその髪の毛に締着し、取り付けることができる。
【００１６】
【発明の実施の形態】
以下、図面に基き、本発明による髪飾り及びその取付方法の好適な実施の形態を説明する。
図１は、本発明による髪飾り１０の全体構成を示している。髪飾り１０は、髪の毛に添設され、頭部の適所、例えば側頭部などに垂下されるが、髪の毛が挿通する内孔を有していてその外周部に頭飾具１２を付設した管体１１と、管体１１を髪の毛に締着させるようにこの管体１１の内孔に装着される介挿材１３とを具備している。そして、髪の毛を介挿材１３とともに内孔に挿通することにより管体１１がその髪の毛に締着するようになっている。
管体１１はたとえばシリコン素材等の材料により弾性変形可能に構成されており、図３（ａ）等に示されるように長さ数ｍｍ程度の管状に形成される。管体１１の内孔１１ａには介挿材１３等が挿通される。
【００１７】
また、本実施の形態では、髪飾り１０は、図２に示すように、管体１１の内孔に挿通するガイド材１４をさらに具備している。このガイド材１４は管体１１の内孔に髪の毛Ｈを挿通させるために使用されるのものであり、髪の毛Ｈを引っ掛け得るように形成された引掛け部１４ａを有する。そして、髪の毛Ｈは、後述するようにガイド材１４によって管体１１の内孔に挿通ガイドされる。
【００１８】
管体１１に付設される頭飾具１２として、図示の例では、多数本のナイロン等の柔軟な合成樹脂繊維素材でなる種々の色彩に着色された人工毛髪や飾り紐などで成る長尺で紐状のエクステンションを用い、この人工毛髪の各基端部を、管体１１の外周に植毛又は接着等により固着して数１０ｃｍ（たとえば４０ｃｍ程度）の長さで垂下させている。頭飾具１２としては、上記エクステンションのみならず、貴金属製，ガラス製，プラスチック製，木製，布製等で作られた、動物，花，キャラクターグッズなど各種の装飾材であってもよい。例えば、プラスチックで作った蝶々を頭飾具１２とする場合は、管体１１に細紐などを取り付けて蝶々を細紐に締結することにより、管体１１に付設することができる。
【００１９】
さらに、頭飾具１２に用いるエクステンションとしては、上記人工毛髪の他に、種々の色彩に着色された糸を組み合せて作った組紐，装飾のためにつける飾り紐等を用いることができる。
【００２０】
図１に示すように、人工毛髪，組紐，飾り紐等のエクステンションを頭飾具１２とする場合は、このエクステンション１２はその全長に亘ってあるいは部分的に編み込んでもよく、また編み込まずに、ばらけたままの状態でもよい。これらの形態は、図示例の場合に限らず、適宜パターンのものが選択可能である。なお、図２以下においては頭飾具１２の図示は省略されている。
【００２１】
介挿材１３は図４等に示されるように、たとえば数ｃｍ程度のゴム紐材などの弾性体を環状にしたものが好適であり、したがって伸び縮み可能で、糸で結着された結び目１３ａがボンド等のバインダによって固定される。介挿材１３は後述するように管体１１の内孔に下方から挿通し、次いで上方から引き出した介挿材１３の一部で巻回部１３ｂが形成されるようになっいる。したがって、この巻回部１３ｂは管体１１の上端部付近に形成されることになる（図２等参照）。また、ガイド材１４はナイロン素材等を概略環状にしてなり、一端に引掛け部１４ａが形成される。ガイド材１４は適度に変形可能である。
【００２２】
本発明の実施形態による髪飾り１０は以上のように構成されており、つぎに、この髪飾り１０を用いて頭部に取り付ける方法を説明する。
まず、図３（ａ）のように管体１１の内孔１１ａに介挿材１３およびガイド材１４を挿通する。ここで、本発明の実施形態において、図４に示したように、介挿材１３およびガイド材１４を管体１１の内孔１１ａに挿通するために、補助具１５を用いれば便宜である。この補助具１５として、やや剛性の折曲可能な線材を用い、先ず、この補助具１５に介挿材１３およびガイド材１４の一端部を引っ掛ける。そして、図４のように管体１１の内孔１１ａに下方から補助具１５を挿通して補助具１５を内孔１１ａの上から引き上げることで、介挿材１３およびガイド材１４を挿通させることができる。挿通後、補助具１５を取り去れば、図３（ａ）に示すように、介挿材１３およびガイド材１４が、管体１１の内孔１１ａに下方から挿通されてその上方へ延出した状態に配置される。
【００２３】
つぎに、管体１１の上端部から延出する介挿材１３の一端に、図３（ｂ）のように巻回部１３ｂを形成する。巻回部１３ｂを形成する場合、介挿材１３の一端に少なくとも２つのループを形成し、指でそのループを押えて保持しておく。そして図３（ｃ）および図３（ｄ）のように巻回部１３ｂに、引掛け部１４ａからガイド材１４を挿通し、このガイド材１４を適当な長さまで引張り出す。これにより図２に示したように引掛け部１４ａが上端に引き出される。
【００２４】
つぎに、ガイド材１４の引掛け部１４ａに、図２のように髪の毛Ｈが挿通される。この場合、髪の毛Ｈはたとえば数１０本単位であってよい。
つぎに、図５（ａ）のようにガイド材１４の引掛け部１４ａに髪の毛Ｈを引っ掛けて、ガイド材１４を管体１１の反対側（即ち、管体１１の下側）から抜き去る。これにより髪の毛Ｈは巻回部１３ｂ内を通り抜けて、図５（ｂ）のように管体１１内を挿通して引き出される。
【００２５】
このように髪の毛Ｈを介挿材１３と伴に管体１１の内孔１１ａに挿通することにより、介挿材１３が内孔１１ａに弾発的に挿入され、これにより管体１１の内孔１１ａ内で髪の毛Ｈを締着させ、髪飾り１０を取り付けることができる。髪飾り１０の取付位置は、髪の毛Ｈの長さ方向に沿って適宜移動させることで、所望位置に取り付けることができる。この場合、巻回部１３ｂを内孔１１ａに挿入することで、管体１１の髪の毛Ｈに対する締着力を適宜に調節することが可能である。例えば、図５（ｂ）に示すように、介挿材１３の端部を下方に引っ張り、巻回部１３ｂの全体を管体１１の内孔１１ａの挿入すると、髪飾り１０は強い締着力により髪の毛Ｈに取り付けられる。
【００２６】
以上のように取り付けられた髪飾り１０によれば、髪の毛Ｈに添設されるかたちで頭部適所に垂下される。例えば、この髪飾り１０を側頭部の髪の毛Ｈに添設した後で、頭頂部側の髪の毛をその上に被せれば、頭飾具１２以外の管体１１や介挿材１３などの構成部品が全て覆い隠されるので、露出することがない。これにより装飾的効果を得ることができる。
【００２７】
上記説明では、ゴム紐材などの環状の弾性体である介挿材１３を管体１１の内孔１１ａに挿通させて、髪飾り１０を髪の毛Ｈに添設する場合を例示したが、管体１１を髪の毛Ｈに締着させるために、以下に示す介挿材２０を用いることもできる。
【００２８】
図６は本発明の他の実施形態に係る髪飾り１０Ａの全体構成例を示しており、上記髪飾り１０と同様に管体１１を備えるとともに、上記介挿材１３に代わって介挿材２０を備えている。
【００２９】
この介挿材２０は、貴金属製，ガラス製，プラスチック製，木製等の剛体であり、管体１１の内孔１１ａの直径よりも大きい直径を有する棒状のスティック部２１と、このスティック部２１よりも幅広に形成されており、スティック部２１の基端部を保持する板状の保持部２２とから成る。なお、介挿材２０の全長は、例えば１ｃｍ〜１．５ｃｍ程度である。この介挿材２０は、好ましくは、細線状の紐帯２３等の紐状の連結材により管体１１に結びつけられている。
【００３０】
このように形成された介挿材２０は、上記介挿材１３のように弾性的に伸張すること無く一定の形態を維持し、介挿材２０のスティック部２１が後述するように管体１１の内孔１１ａに上方から差し込まれ、介挿材２０の保持部２２が管体１１の上端面に当接することで、管体１１に係止される。
【００３１】
次に、この髪飾り１０Ａを頭部に取り付ける方法を説明する。
まず、管体１１の内孔１１ａにガイド材１４を挿通させて、図７（ａ）のようにガイド材１４に髪の毛Ｈを挿通させる。この場合、髪の毛Ｈはたとえば数１０本単位であってよい。つぎに、図７（ｂ）のようにガイド材１４の引掛け部１４ａに髪の毛Ｈを引っ掛けて、ガイド材１４を管体１１の反対側、即ち、管体１１の下側から抜き去る。これにより髪の毛Ｈは図７（ｃ）のように管体１１内を挿通して引き出される。
【００３２】
次に、介挿材２０のスティック部２１を、図７（ｄ）に示すように、管体１１の内孔１１ａに上方から差し込む。スティック部２１が内孔１１ａに弾発的に挿入されることにより、管体１１の内孔１１ａ内で髪の毛Ｈを締着させて、髪飾り１０Ａを髪の毛Ｈに取り付けることができる。一方、髪飾り１０Ａを髪の毛Ｈから取り外す場合は、管体１１の内孔１１ａ内に差し込まれたスティック部２１を引き抜くことで締着力が弱まり、その状態で管体１１を髪の毛Ｈの毛先方向にスライドさせる。
【００３３】
以上のように取り付けられた髪飾り１０Ａは、上記髪飾り１０と同様に、髪の毛Ｈに添設されるかたちで頭部適所に垂下される。
【００３４】
ところで、上記髪飾り１０，１０Ａにおいては、介挿材１３，２０を管体１１の内孔１１ａ内に挿入或いは挿通させて、主として内孔１１ａ内に髪の毛Ｈを締着させる用途に使用される場合を例示したが、介挿材自体に装飾的効果を付加させることができる。
【００３５】
図８は本発明の他の実施形態に係る髪飾り１０Ｂの全体構成例を示しており、上記髪飾り１０，１０Ａと同様に管体１１を備えるとともに、上記介挿材１３，２０に代えて介挿材３０を備えている。
【００３６】
この介挿材３０は、主に人工毛髪，組紐，飾り紐等のエクステンションを用いて紐状に構成されている。なお、この長さとしては、上記管体１１に取り付けられる人工毛髪と同程度の長さ、例えば、数１０ｃｍ（たとえば４０ｃｍ程度）の長さに設定される。
【００３７】
ここで、介挿材３０を形成する場合について説明する。
先ず、図９（ａ）に示すように、ナイロン等の柔軟な合成樹脂繊維素材でなる種々の色彩に着色された人工毛髪，組紐，飾り紐等を複数束ねてエクステンション３１を作る。次に、図９（ｂ）に示すように、このエクステンション３１の長さ中間位置を天蚕糸３２に引っ掛け、さらにその天蚕糸３２の両端を熱収縮性のチューブ（以下、チューブと称す）３３内に挿通させる。なお、チューブ３３は、１００℃〜１０５℃の温度範囲で数十分程度（例えば、５分〜３０分）加熱処理を施すことで、熱収縮加工されている。
【００３８】
次に、図９（ｃ）に示すように、チューブ３３に対して、天蚕糸３３を引く抜き、エクステンション３１の長さ中間部位をチューブ３３の反対位置にループ状に引き出す。そして、引き出されたエクステンション３１の一側をさらに引き出して、図９（ｄ）に示すように、チューブ３３にエクステンション３１を通した状態にする。
【００３９】
次に、このエクステンション３１とチューブ３３に、１００℃〜１０５℃の温度範囲で数十分程度（例えば、５分〜３０分）加熱処理を施すと、図９（ｅ）に示すように、チューブ３３が収縮してエクステンション３１に密着する。
【００４０】
そして、チューブ３３に折れ目ができるようにエクステンション３１を二つ折りにした状態で、図９（ｆ）に示すように、ループ３１ａを形成するようにエクステンション３１相互を糸などで縛る。なお、この縛り目を符号３１ｂで示す。このようにして、介挿材３０が完成する。
【００４１】
次に、この介挿材３０を備えた髪飾り１０Ｂを、頭部に取り付ける方法を説明する。
介挿材３０を管体１１の内孔１１ａに挿通するために、補助具１５に介挿材３０の一端部を引っ掛け、図１０（ａ）のように管体１１の内孔１１ａに下方から補助具１５を挿通して補助具１５を内孔１１ａの上から引き上げることで、介挿材３０を管体１１に挿通させることができる（図１０（ｂ）参照）。挿通後、補助具１５を取り去り、図１０（ｃ）に示すようにさらに介挿材３０を引き出す。この引き出し長さとしては、図１０（ｃ）に示すように、繋ぎ目３１ｂと管体１１との間にループ３１ｃが形成され、後述するようにそのループ３１ｃ内に髪の毛Ｈが挿通可能な程度に、引き出すのがよい。
【００４２】
次に、図１０（ｄ）のようにループ３１ｃに髪の毛Ｈを挿通させる。この場合、髪の毛Ｈはたとえば数１０本単位であってよい。つぎに、図１０（ｅ）のように介挿材３０の繋ぎ目３１ｂに髪の毛Ｈを引っ掛けて、介挿材３０を管体１１の反対側、即ち、管体１１の下側の方向に引っ張る。これにより髪の毛Ｈは図１０（ｆ）のように管体１１内を挿通して引き出される。
【００４３】
次に、介挿材３０を、図１０（ｇ）に示すようにさらに引っ張ってチューブ３３を内孔１１ａに弾発的に挿入し、これにより管体１１の内孔１１ａ内で髪の毛Ｈを締着させ、髪飾り１０を髪の毛Ｈに取り付けることができる。
【００４４】
以上のように取り付けられた髪飾り１０Ｂによれば、上記髪飾り１０，１０Ａと同様に、髪の毛Ｈに添設されるかたちで頭部適所に垂下され、さらに介挿材３０自体も装飾的効果を奏する。さらに、介挿材３０が管体１１内に髪の毛Ｈを誘導する役割を果たすので、上記髪飾り１０，１０Ａで用いるガイド材１４は不要である。
【００４５】
上記説明において、髪飾り１０，１０Ａ，１０Ｂを髪の毛Ｈに取り付ける場合に介挿材１３，２０，３０を用いた例を説明したが、これらの介挿材１３，２０，３０は必ずしも必要としない。この場合、髪飾りは、髪の毛が挿通する内孔１１ａを有する管体１１と、この管体１１の外周部に付設された頭飾具１２とで構成される。この髪飾りの使用方法としては、複数の髪の毛Ｈを内孔１１ａに弾発的に挿入し、これにより管体１１の内孔１１ａ内で髪の毛Ｈ自体を締着し、髪飾りを髪の毛Ｈに取り付けることができる。なお、この場合も、上記ガイド材１４を用いて管体１１内に髪の毛Ｈを挿通ガイドするのが便利である。
【００４６】
以上、本発明を実施の形態について説明したが、本発明は上記実施形態にのみ限定されるものでなく、本発明の範囲内で種々の変更等が可能であり、上記実施形態と同様な作用効果を得ることができる。
たとえば介挿材１３の巻回部１３ｂを形成するループは、３つ以上にしてもよい。この場合は、巻回部１３ｂが太く形成されるので、髪の毛Ｈに対する締着力がより増加する。その他上記実施形態における具体的数値例等は必要に応じて適宜設定することができる。また、髪の毛の用語は、本実施の形態では装着者の自毛を指すものとして説明してきたが、装着者が所謂ファッションウイッグなどを被ってこのウイッグの髪の毛に本発明の頭飾品を取り付ける場合にも適用出来ることは言うまでもない。
【００４７】
【発明の効果】
以上説明したように本発明によれば、この種の髪飾りにおいて簡素な構成でなり、管体に介挿材あるいはガイド材等を挿通するだけの簡単な作業で適正に取り付けることができ、使用性や取扱い性に優れているばかりか、優れた装飾的効果を得ることができる。
【図面の簡単な説明】
【図１】本発明の実施形態における構成例を示す図である。
【図２】本発明の実施形態における要部構成を示す図である。
【図３】本発明の実施形態における髪飾りの取付方法を順に示す図である。
【図４】本発明の実施形態における介挿材およびガイド材の挿通用補助具の例を示す図である。
【図５】本発明の実施形態における髪の毛への取付時の様子を示す図である。
【図６】本発明の他の実施形態に係る髪飾りの構成例を示す図である。
【図７】図６に示す髪飾りの取付方法を順に示す図である。
【図８】本発明の他の実施形態に係る髪飾りの構成例を示す図である。
【図９】図８に示す介挿材の製作手順を示す図である。
【図１０】図８に示す髪飾りの取付方法を順に示す図である。
【符号の説明】
１０，１０Ａ，１０Ｂ　髪飾り
１１　　　　　　　　　管体
１２　　　　　　　　　頭飾具
１３，２０，３０　　　介挿材
１３ｂ　　　　　　　　巻回部
１４　　　　　　　　　ガイド材
１４ａ　　　　　　　　引掛け部
１５　　　　　　　　　補助具
２１　　　　　　　　　スティック部
２２　　　　　　　　　保持部
２３　　　　　　　　　紐帯
３１　　　　　　　　　エクステンション
３１ａ　　　　　　　　ループ
３１ｂ，３１ｃ　　　　縛り目
３２　　　　　　　　　天蚕糸
３３　　　　　　　　　チューブ
Ｈ　　　　　　　　　　髪の毛
【図１】
2004065921.tif 000003
【図２】
2004065921.tif 000004
【図３】
2004065921.tif 000005
【図４】
2004065921.tif 000006
【図５】
2004065921.tif 000007
【図６】
2004065921.tif 000008
【図７】
2004065921.tif 000009
【図８】
2004065921.tif 000010
【図９】
2004065921.tif 000011
【図１０】
2004065921.tif 000012